(57)【要約】【課題】通信端末に応じたコンテンツを配信することが可能な配信装置、配信システム、配信方法および配信プログラムを提供すること【解決手段】本発明にかかる配信装置１０は、通信端末２０へ配信するコンテンツのコンテンツ情報と、通信端末２０を利用する利用者の利用者情報と、を関連付けて登録するコンテンツ管理テーブルを記憶する記憶手段１２と、通信端末２０から、通信端末２０の利用者情報および通信端末２０のアドレス情報を含むコンテンツ配信要求を受信する受信手段１１と、受信されたコンテンツ配信要求に含まれる利用者情報及びアドレス情報に基づいて、コンテンツ管理テーブルのコンテンツ情報及び利用者情報にアドレス情報を関連付けて登録する登録手段１３と、コンテンツ管理テーブルに登録されたアドレス情報の通信端末２０へ、アドレス情報に関連付けられたコンテンツ情報のコンテンツを配信する配信手段１４と、を有するものである。【選択図】図１
2018023027.tif 000002
【特許請求の範囲】
【請求項１】
通信端末へ配信するコンテンツのコンテンツ情報と、前記通信端末を利用する利用者の利用者情報と、を関連付けて登録するコンテンツ管理テーブルを記憶する記憶手段と、
前記通信端末から、前記通信端末の利用者情報および前記通信端末のアドレス情報を含むコンテンツ配信要求を受信する受信手段と、
前記受信されたコンテンツ配信要求に含まれる前記利用者情報及び前記アドレス情報に基づいて、前記コンテンツ管理テーブルの前記コンテンツ情報及び前記利用者情報に前記アドレス情報を関連付けて登録する登録手段と、
前記コンテンツ管理テーブルに登録されたアドレス情報の通信端末へ、前記アドレス情報に関連付けられた前記コンテンツ情報の前記コンテンツを配信する配信手段と、
を有する配信装置。
【請求項２】
前記登録手段は、前記アドレス情報を登録した後、前記通信端末をコンテンツ待ち受け状態に遷移させるための登録完了通知を、前記通信端末へ送信する送信手段をさらに有する、
請求項１に記載の配信装置。
【請求項３】
前記利用者情報は、利用者識別番号および利用者氏名を含み、
前記登録手段は、前記通信端末から受信した前記利用者識別番号と一致する前記コンテンツ管理テーブルの前記利用者識別番号に、前記通信端末から受信した前記アドレス情報を関連付けて登録する、
請求項１又は２に記載の配信装置。
【請求項４】
前記コンテンツ配信要求は、さらに前記通信端末を認証するための認証コードを含み、
前記受信されたコンテンツ配信要求に含まれる認証コードに基づいて、前記通信端末の認証を行う認証手段をさらに有し、
前記登録手段は、前記通信端末の認証が正常に完了した場合、前記通信端末のアドレス情報を登録する、
請求項１乃至３のいずれか１項に記載の配信装置。
【請求項５】
前記認証コードは、前記利用者が受講する講義用の講義認証コードを含み、
前記記憶手段は、講義認証コードを予め登録する講義認証コードテーブルをさらに記憶し、
前記認証手段は、前記受信されたコンテンツ配信要求に含まれる前記講義認証コードが前記講義認証コードテーブルの前記講義認証コードと一致する場合、前記通信端末の認証を正常に完了する、
請求項４に記載の配信装置。
【請求項６】
前記記憶手段は、前記講義認証コードと、講義用のコンテンツのコンテンツ情報とを関連付けて登録し、
前記登録手段は、前記受信されたコンテンツ配信要求に含まれる前記利用者情報と前記コンテンツ情報が関連付けて前記コンテンツ管理テーブルに予め登録されていない場合、前記コンテンツ配信要求に含まれる前記講義認証コードに関連付けられた前記コンテンツ情報と、前記通信端末の利用者情報と、前記通信端末のアドレス情報と、を関連付けて前記コンテンツ管理テーブルに登録する、
請求項５に記載の配信装置。
【請求項７】
前記通信端末は、複数のアクセスポイントのいずれかを介して前記配信装置と通信可能であり、
前記記憶手段は、前記利用者情報と、接続先の前記アクセスポイントの接続識別子と、を予め関連付けて登録する接続先指定管理テーブルをさらに記憶し、
前記通信端末から受信した利用者情報に関連付けられた前記接続識別子を、前記接続先指定管理テーブルから検索する検索手段と、
前記検索された接続識別子を含む接続許可応答を前記通信端末に送信する接続識別子送信手段と、
をさらに有する、
請求項１乃至６のいずれか１項に記載の配信装置。
【請求項８】
通信端末と、コンテンツを配信する配信装置と、を有する配信システムであって、
前記配信装置は、
通信端末へ配信するコンテンツのコンテンツ情報と、前記通信端末を利用する利用者の利用者情報と、を関連付けて登録するコンテンツ管理テーブルを記憶する記憶手段と、
前記通信端末から、前記通信端末の利用者情報および前記通信端末のアドレス情報を含むコンテンツ配信要求を受信する受信手段と、
前記受信されたコンテンツ配信要求に含まれる前記利用者情報及び前記アドレス情報に基づいて、前記コンテンツ管理テーブルの前記コンテンツ情報及び前記利用者情報に前記アドレス情報を関連付けて登録する登録手段と、
前記コンテンツ管理テーブルに登録されたアドレス情報の通信端末へ、前記アドレス情報に関連付けられた前記コンテンツ情報の前記コンテンツを配信する配信手段と、
を有する配信システム。
【請求項９】
コンテンツを配信する配信装置の配信方法であって、
通信端末へ配信するコンテンツのコンテンツ情報と、前記通信端末を利用する利用者の利用者情報と、を関連付けて登録するコンテンツ管理テーブルを記憶するステップと、
前記通信端末から、前記通信端末の利用者情報および前記通信端末のアドレス情報を含むコンテンツ配信要求を受信するステップと、
前記受信されたコンテンツ配信要求に含まれる前記利用者情報及び前記アドレス情報に基づいて、前記コンテンツ管理テーブルの前記コンテンツ情報及び前記利用者情報に前記アドレス情報を関連付けて登録するステップと、
前記コンテンツ管理テーブルに登録されたアドレス情報の通信端末へ、前記アドレス情報に関連付けられた前記コンテンツ情報の前記コンテンツを配信するステップと、
を備える配信方法。
【請求項１０】
コンテンツを配信する配信装置に実行させる配信プログラムであって、
通信端末へ配信するコンテンツのコンテンツ情報と、前記通信端末を利用する利用者の利用者情報と、を関連付けて登録するコンテンツ管理テーブルを記憶するステップと、
前記通信端末から、前記通信端末の利用者情報および前記通信端末のアドレス情報を含むコンテンツ配信要求を受信するステップと、
前記受信されたコンテンツ配信要求に含まれる前記利用者情報及び前記アドレス情報に基づいて、前記コンテンツ管理テーブルの前記コンテンツ情報及び前記利用者情報に前記アドレス情報を関連付けて登録するステップと、
前記コンテンツ管理テーブルに登録されたアドレス情報の通信端末へ、前記アドレス情報に関連付けられた前記コンテンツ情報の前記コンテンツを配信するステップと、
を備える配信プログラム。
【発明の詳細な説明】
【技術分野】
【０００１】
本発明は、配信装置、配信システム、配信方法、及び配信プログラムに関し、特に、コンテンツを配信する配信装置、配信システム、配信方法、及び配信プログラムに関する。
【背景技術】
【０００２】
近年、教育機関などでタブレットやスマートフォンなどの情報端末（以下、通信端末と称す）へ、映像コンテンツをプッシュ型配信方式により配信する映像配信システムが広く利用されている。
「プッシュ型配信方式」とは、通信端末側からＩＰエンコーダや映像配信サーバなどの映像配信装置（以下、配信装置と称す）に接続することで映像コンテンツを取得する「プル型配信方式」とは異なり、配信装置から通信端末へ一方的に映像コンテンツを配信する配信方式を言う。関連技術として、例えば、特許文献１〜４が知られている。
【０００３】
特許文献１および２には、プッシュ型配信方式を用いた配信システムの一例として、配信対象の映像コンテンツをストリーミング再生するストリーミング配信システムが開示されている。
【０００４】
また、特許文献３には、プッシュ型配信方式を用いた配信システムの一例として、長距離列車内のネットワークを用いたコンテンツ提供システムが開示されている。当該コンテンツ提供システムは、ネットワークに接続された全ての通信端末に対して、一様に同じ情報を送信するコンテンツ提供システムである。
【先行技術文献】
【特許文献】
【０００５】
【特許文献１】特開２００８−４２７９０号公報
【特許文献２】特開２０１３−２１５８５号公報
【特許文献３】特開２００４−１７３１７９号公報
【特許文献４】特開２０１５−１０６８９９号公報
【発明の概要】
【発明が解決しようとする課題】
【０００６】
特許文献３では、通信端末が無線ＬＡＮ（Local Area Network）に接続し、ＤＨＣＰ（Dynamic Host Configuration Protocol）サーバから自動的にＩＰ（Internet Protocol）アドレスを付与された後、付与されたＩＰアドレスの通信端末へコンテンツを配信している。しかしながら、特許文献３に記載された技術では、通信端末のＩＰアドレスが接続時にＤＨＣＰサーバより付与されるため、付与されたＩＰアドレスのみから特定の通信端末を識別することができない。そうすると、個々の通信端末に応じたコンテンツを配信することができない。このため、ネットワークに接続された全ての通信端末に対して、一様に同じ情報を送信するコンテンツ提供システムとなっている。
このように、関連する技術では、ＤＨＣＰなどにより通信端末のアドレス情報が変化する場合等に、通信端末に応じたコンテンツを配信することは困難であるという問題がある。
【０００７】
本発明はこのような問題を解決するためになされたものであり、通信端末に応じたコンテンツを配信することが可能な配信装置、配信システム、配信方法および配信プログラムを提供することを目的とする。
【課題を解決するための手段】
【０００８】
本発明にかかる配信装置は、通信端末へ配信するコンテンツのコンテンツ情報と、前記通信端末を利用する利用者の利用者情報と、を関連付けて登録するコンテンツ管理テーブルを記憶する記憶手段と、前記通信端末から、前記通信端末の利用者情報および前記通信端末のアドレス情報を含むコンテンツ配信要求を受信する受信手段と、前記受信されたコンテンツ配信要求に含まれる前記利用者情報及び前記アドレス情報に基づいて、前記コンテンツ管理テーブルの前記コンテンツ情報及び前記利用者情報に前記アドレス情報を関連付けて登録する登録手段と、前記コンテンツ管理テーブルに登録されたアドレス情報の通信端末へ、前記アドレス情報に関連付けられた前記コンテンツ情報の前記コンテンツを配信する配信手段と、を有するものである。
【０００９】
本発明にかかる配信システムは、通信端末と、コンテンツを配信する配信装置と、を有する配信システムであって、前記配信装置は、通信端末へ配信するコンテンツのコンテンツ情報と、前記通信端末を利用する利用者の利用者情報と、を関連付けて登録するコンテンツ管理テーブルを記憶する記憶手段と、前記通信端末から、前記通信端末の利用者情報および前記通信端末のアドレス情報を含むコンテンツ配信要求を受信する受信手段と、前記受信されたコンテンツ配信要求に含まれる前記利用者情報及び前記アドレス情報に基づいて、前記コンテンツ管理テーブルの前記コンテンツ情報及び前記利用者情報に前記アドレス情報を関連付けて登録する登録手段と、前記コンテンツ管理テーブルに登録されたアドレス情報の通信端末へ、前記アドレス情報に関連付けられた前記コンテンツ情報の前記コンテンツを配信する配信手段と、を有するものである。
【００１０】
本発明にかかる配信方法は、コンテンツを配信する配信装置の配信方法であって、通信端末へ配信するコンテンツのコンテンツ情報と、前記通信端末を利用する利用者の利用者情報と、を関連付けて登録するコンテンツ管理テーブルを記憶するステップと、前記通信端末から、前記通信端末の利用者情報および前記通信端末のアドレス情報を含むコンテンツ配信要求を受信するステップと、前記受信されたコンテンツ配信要求に含まれる前記利用者情報及び前記アドレス情報に基づいて、前記コンテンツ管理テーブルの前記コンテンツ情報及び前記利用者情報に前記アドレス情報を関連付けて登録するステップと、前記コンテンツ管理テーブルに登録されたアドレス情報の通信端末へ、前記アドレス情報に関連付けられた前記コンテンツ情報の前記コンテンツを配信するステップと、を備えるものである。
【００１１】
本発明にかかる配信プログラムは、コンテンツを配信する配信装置に実行させる配信プログラムであって、通信端末へ配信するコンテンツのコンテンツ情報と、前記通信端末を利用する利用者の利用者情報と、を関連付けて登録するコンテンツ管理テーブルを記憶するステップと、前記通信端末から、前記通信端末の利用者情報および前記通信端末のアドレス情報を含むコンテンツ配信要求を受信するステップと、前記受信されたコンテンツ配信要求に含まれる前記利用者情報及び前記アドレス情報に基づいて、前記コンテンツ管理テーブルの前記コンテンツ情報及び前記利用者情報に前記アドレス情報を関連付けて登録するステップと、前記コンテンツ管理テーブルに登録されたアドレス情報の通信端末へ、前記アドレス情報に関連付けられた前記コンテンツ情報の前記コンテンツを配信するステップと、を備えるものである。
【発明の効果】
【００１２】
本発明によれば、通信端末に応じたコンテンツを配信することが可能な配信装置、配信システム、配信方法および配信プログラムを提供することができる。
【図面の簡単な説明】
【００１３】
【図１】実施の形態にかかる配信システムの概要構成を示す構成図である。
【図２】実施の形態１にかかる配信システムの構成例を示す構成図である。
【図３】実施の形態１にかかる「配信接続要求」を示す通信パケットの一例を示す図である。
【図４】実施の形態１にかかる「登録完了通知」を示す通信パケットの一例を示す図である。
【図５】実施の形態１にかかる認証コード一例を示す図である。
【図６】実施の形態１にかかる認証内容の一例を示す図である。
【図７】実施の形態１にかかる配信システムの動作例を示すシーケンス図である。
【図８】実施の形態２にかかる配信システムの構成例を示す構成図である。
【図９】実施の形態２にかかる「接続許可応答」を示す通信パケットの一例を示す図である。
【図１０】実施の形態２にかかる「再接続完了通知」を示す通信パケットの一例を示す図である。
【図１１】実施の形態２にかかる接続先指定管理テーブルの一例を示す図である。
【図１２】実施の形態２にかかる配信システムの動作例を示すシーケンス図である。
【図１３】実施の形態２にかかる配信システムの動作の具体例を示す図である。
【図１４】実施の形態２にかかる配信システムの動作の具体例を示す図である。
【図１５】実施の形態２にかかる配信システムの動作の具体例を示す図である。
【図１６】実施の形態２にかかる配信システムの動作の具体例を示す図である。
【図１７】実施の形態３にかかる配信システムの構成例を示す構成図である。
【図１８】実施の形態３にかかる配信システムの動作例を示すシーケンス図である。
【図１９】他の実施形態にかかる通信端末の構成例を示す構成図である。
【図２０】通信端末のＩＰアドレスと通信端末情報とを手動で設定する場合の設定例を示す図である。
【図２１】実施の形態２における課題を説明するための図である。
【発明を実施するための形態】
【００１４】
（実施の形態の概要）
以下、図面を参照して本発明の実施の形態の概要について説明する。図１は、実施の形態にかかる配信システム１の概要構成を示している。図１の配信システム１は、通信端末２０と、通信端末へコンテンツを配信する配信装置１０を備える。
【００１５】
配信装置１０は、受信手段１１、記憶手段１２、登録手段１３および配信手段１４を備える。記憶手段１２は、通信端末２０へ配信するコンテンツのコンテンツ情報と、通信端末２０を利用する利用者の利用者情報と、を関連付けて登録するコンテンツ管理テーブル１２ａを記憶する。受信手段１１は、通信端末２０の利用者情報および通信端末２０のアドレス情報（ＩＰアドレス等）を含むコンテンツ配信要求を通信端末２０から受信する。登録手段１３は、受信されたコンテンツ配信要求に含まれる通信端末２０の利用者情報及び通信端末２０のアドレス情報に基づいて、コンテンツ管理テーブル１２ａのコンテンツ情報と利用者情報に通信端末２０のアドレス情報を関連付けて登録する。配信手段１４は、コンテンツ管理テーブル１２ａに登録されたアドレス情報の通信端末２０へ、登録されたアドレス情報に関連付けられたコンテンツ情報のコンテンツを配信する。
【００１６】
このように、実施の形態では、配信装置１０が通信端末２０からコンテンツ配信要求を受信した場合に、通信端末２０に配信するコンテンツ情報及び通信端末２０の利用者情報に通信端末２０のアドレス情報を関連付けて登録するため、コンテンツ配信を要求している利用者の通信端末へ配信するコンテンツを特定することができる。したがって、実施の形態によれば、利用者の通信端末２０を識別し、通信端末２０に応じたコンテンツを配信することが可能となる。
【００１７】
（実施の形態１）
以下、図面を参照して本発明の実施の形態１について説明する。本実施の形態にかかる配信システム１の構成図を図２に示す。本実施の形態の配信システム１は、配信装置１０、通信端末２０、アクセスポイント３０、ネットワーク機器４０およびＤＨＣＰサーバ５０を備える。
配信装置１０は、あらかじめ内部に蓄積された映像コンテンツを利用者の通信端末へプッシュ型配信方式により配信する装置である。配信装置１０は、教育機関を例とすると教職員等の配信装置を運用する運用者の操作により、例えば、「受講者全員にコンテンツＡを配信する。」や「受講者ＢにはコンテンツＢを配信し、受講者ＣにはコンテンツＣを配信する。」など、任意に映像コンテンツの配信を行うことを可能とする装置であるが、配信するコンテンツは映像コンテンツに限られない。
通信端末２０は、運用者の操作により配信される映像コンテンツを利用者が視聴するための装置であり、タブレット端末のみならず、スマートフォンやノートパソコン等、無線ＬＡＮに接続ができ、コンテンツを視聴できる装置であればよい。
【００１８】
アクセスポイント３０は、例えば、ＤＨＣＰサーバ５０および配信装置１０が属する有線ＬＡＮと、通信端末２０が属する無線ＬＡＮとを仲介する装置（中継装置）であり、物理的な通信媒体の変換を担う。アクセスポイント３０と配信装置１０との接続は、有線に限られず無線で接続されていてもよい。アクセスポイント３０は、有線ＬＡＮおよび無線ＬＡＮの通信規格に依存せず、種々の通信規格を適用することが可能である。
ネットワーク機器４０は、スイッチングハブ等のネットワーク機器である。ＤＨＣＰサーバ５０と、配信装置１０と、アクセスポイント３０とを集約するための装置である。ＤＨＣＰサーバ５０と、配信装置１０と、アクセスポイント３０との接続は、ＬＡＮケーブルに限らず有線／無線ネットワークを介して接続してもよい。
ＤＨＣＰサーバ５０は、無線ＬＡＮに接続した通信端末２０に対し、ＩＰアドレスを自動的に付与する装置である。
【００１９】
まず、配信装置１０の構成例について説明する。配信装置１０は、送信部１０１、受信部１０２、記憶部１０３、認証部１０４、登録部１０５および配信部１０６を有する。送信部１０１、受信部１０２、認証部１０４および配信部１０６は、各制御を行うアプリケーション（プログラム）として搭載されていてもよい。
【００２０】
送信部１０１および受信部１０２は、通信端末２０と通信パケットを送受信する。送信部１０１は、後述する「登録完了通知」を通信端末２０へ送信するため、登録完了通知送信手段（登録完了通知送信部）を備えているとも言える。受信部１０２は、後述する「配信接続要求」を通信端末２０から受信するため、配信接続要求受信手段（配信接続要求受信部）を備えているとも言える。
【００２１】
ここで、配信装置１０と通信端末２０との通信において送受信される通信パケットは、例えば、図３に示すようなパケットの形式である。具体的には、通信パケットは、Ｅｔｈｅｒ（Ethernet）ヘッダまたは無線ＬＡＮヘッダ設定部Ｐ１、ＩＰヘッダ設定部Ｐ２、ＴＣＰ（Transmission Control Protocol）ヘッダ設定部Ｐ３およびデータ設定部Ｐ４を含む。Ｅｔｈｅｒヘッダまたは無線ＬＡＮヘッダ設定部Ｐ１、ＩＰヘッダ設定部Ｐ２およびＴＣＰヘッダ設定部Ｐ３は、それぞれ、各ネットワーク階層（データリンク層、ネットワーク層、トランスポート層）で使用されるヘッダ領域である。各ヘッダ設定部には、各ネットワーク階層で使用される送信元アドレスおよび宛先アドレスが設定される。Ｅｔｈｅｒヘッダは、送信元ＭＡＣアドレス及び宛先ＭＡＣアドレスを含み、ＩＰヘッダは、送信元ＩＰアドレス及び宛先ＭＡＣアドレスを含み、ＴＣＰヘッダは、送信元ポート番号及び宛先ポート番号を含む。データ設定部Ｐ４は、配信装置１０と通信端末２０との間で送受信するデータを設定するデータ領域である。なお、配信装置１０と通信端末２０との通信で使用される通信パケットの構成例を以降に示すが、これに限られるものではなく、適宜必要な情報が追加されてもよい。
【００２２】
次に、通信パケットの具体例として、通信端末２０から配信装置１０へコンテンツ配信を要求する「配信接続要求（コンテンツ配信要求）」と、配信装置１０から通信端末２０へコンテンツ配信のために必要な情報の登録完了を通知する「登録完了通知」の構成について説明する。図３は、「配信接続要求」のデータ構成例を示している。「配信接続要求」は、通信端末２０から配信装置１０へ送信されるため、「配信接続要求」のＩＰヘッダ設定部Ｐ２には、例えば、送信元ＩＰアドレスとして通信端末２０のＩＰアドレスを設定し、宛先ＩＰアドレスとして、配信装置１０のＩＰアドレスを設定する。「配信接続要求」の場合、データ設定部Ｐ４は、制御コード設定部Ｐ５、認証コード設定部Ｐ６、利用者識別番号設定部Ｐ７および利用者氏名設定部Ｐ８を含む。制御コード設定部Ｐ５には、各信号（通信パケット）を識別するための制御コードを設定する。「配信接続要求」の場合、例えば、制御コードは固定数字の１である。認証コード設定部Ｐ６には、配信装置１０が通信端末２０を認証するための認証コードを設定する。認証コードについては以降に説明をする。利用者識別番号設定部Ｐ７は、通信端末２０を利用する利用者を識別するための利用者識別番号を、例えば英数字で設定する。利用者識別番号は、例えば、教育機関における学生の学籍番号、教職員の教員番号、教育機関で共通に使用される利用者ＩＤなど、利用者を特定することが可能な識別番号である。利用者氏名設定部Ｐ８には、通信端末２０を利用する利用者の利用者氏名を設定する。例えば、利用者氏名は漢字、平仮名、カタカナ、ローマ字など、利用者の氏名が識別できる情報である。
【００２３】
図４は、「登録完了通知」のデータ構成例を示している。「登録完了通知」は、配信装置１０から通信端末２０へ送信されるため、「登録完了通知」のＩＰヘッダ設定部Ｐ２には、例えば、送信元ＩＰアドレスとして配信装置１０のＩＰアドレスを設定し、宛先ＩＰアドレスとして通信端末２０のＩＰアドレスを設定する。「登録完了通知」の場合、データ設定部Ｐ４は、制御コード設定部Ｐ５、認証コード設定部Ｐ６および利用者識別番号設定部Ｐ７を含む。制御コード設定部Ｐ５には、「登録完了通知」に対応する４が設定される。認証コード設定部Ｐ６と利用者識別番号設定部Ｐ７は、「配信接続要求」と同様である。
【００２４】
続いて、「配信接続要求」及び「登録完了通知」に設定される認証コードについて説明する。認証コードの一例を図５に示す。認証コードは、任意の英数字であり、桁数が固定である。認証コードは、共通コードと講義コードを含み、例えば、認証コードの前半部は共通コードであり、後半部は講義コードである。図５の例では、認証コードは、１４桁の英数字であるが、認証可能な桁数であれば、任意の桁数でもよい。
【００２５】
共通コードは、利用者が属する機関の共通のコードである。例えば教育機関を例にとると、１つの機関単位または学部単位で共通に使用される英数字のコードである。共通コードは、通信端末２０を利用する利用者が、当該機関あるいは当該学部に所属することを認証するのに用いられるコードである。本実施の形態では、共通コードは６桁の英数字による構成とするが桁数は６桁に限られず、適宜変更してもよい。
【００２６】
講義コードは、利用者が受講する講義用の講義認証コードである。例えば、教育機関において利用者が受講する講義単位（講義時間割に則った講義の１コマ単位）で設定される英数字のコードである。講義コードは、通信端末２０の利用者が、当該講義を受講する利用者であることを認証するのに用いられるコードである。本実施の形態では、共通コードは８桁の英数字による構成とするが桁数は８桁に限られず、適宜変更してもよい。
【００２７】
図２に戻って、配信装置１０の構成の説明を続ける。記憶部（記憶手段）１０３は、通信端末２０へ配信するコンテンツを記憶する他、共通コードテーブルＴ１、講義コードテーブルＴ２およびコンテンツ管理テーブルＴ３を記憶する。共通コードテーブルＴ１、講義コードテーブルＴ２およびコンテンツ管理テーブルＴ３の一例を図６に示す。共通コードテーブルＴ１および講義コードテーブルＴ２は、配信装置１０が通信端末２０の認証を行う際に使用されるテーブルである。共通コードテーブルＴ１は、配信装置１０が通信端末２０を認証するための共通コードを設定するテーブルである。例えば、共通コードテーブルＴ１に設定される共通コードは、システム管理者により予め登録される。講義コードテーブルＴ２は、配信装置１０が通信端末２０を認証するための講義コードが設定されるテーブルである。講義コードテーブルＴ２には、講義コード、講義コードに対応する講義名および講義の開始時刻および終了時刻を含む講義時間が設定される。例えば、講義コードテーブルＴ２に設定される講義時間、講義名および講義コードは、システム管理者により予め登録される。
【００２８】
コンテンツ管理テーブルＴ３は、利用者が利用する通信端末２０へ特定のコンテンツを配信するために使用するテーブルである。コンテンツ管理テーブルＴ３には、通信端末２０へ配信するコンテンツのコンテンツ情報と、通信端末２０を利用する利用者の利用者情報と、通信端末２０のＩＰアドレスと、を関連付けて登録する。コンテンツ情報は、配信装置１０が利用者毎に配信するコンテンツの名称（コンテンツ識別情報）である。利用者情報は、コンテンツを配信する通信端末２０の利用者の利用者情報である。利用者情報は、利用者識別番号および利用者氏名を含む情報である。コンテンツ管理テーブルＴ３に登録される利用者情報は、利用者識別番号のみでもよく、利用者識別番号および利用者氏名の両方であってもよい。コンテンツ管理テーブルＴ３に登録されるＩＰアドレスは、コンテンツを配信する通信端末２０のＩＰアドレスである。
コンテンツ管理テーブルＴ３に登録されるコンテンツ情報および利用者情報は、システム管理者により予め登録されていてもよい。また、システム管理者により予め登録されていない場合、配信装置１０が通信端末２０の認証を行い、認証が正常に完了した後に登録してもよい。具体的には、記憶部１０３が、講義コードと、当該講義コードに対応する講義用のコンテンツのコンテンツ情報とを関連付けて記憶しておき、配信装置１０が通信端末２０を認証する際に用いた講義コードに関連付けられた講義用のコンテンツのコンテンツ情報と、「配信接続要求」に含まれる通信端末２０の利用者情報と、「配信接続要求」に含まれる通信端末２０のＩＰアドレスと、を関連付けてコンテンツ管理テーブルＴ３に登録する。
【００２９】
図２に戻って、配信装置１０の構成の説明を続ける。認証部（認証手段）１０４は、通信端末２０から受信する「配信接続要求」に含まれる認証コードに基づいて、通信端末２０の認証を行う。具体的には、認証部１０４は、「配信接続要求」に含まれる認証コードのうち、共通コードおよび講義コードを用いて認証を行う。共通コードが共通コードテーブルＴ１に登録された共通コードと一致し、かつ、講義コードが講義コードテーブルＴ２に登録された講義コードと一致する場合、認証部１０４は、通信端末２０の認証を正常に完了（認証成功と判断）する。一方、共通コードが共通コードテーブルＴ１に登録された共通コードと一致しない場合、または、講義コードが講義コードテーブルＴ２に登録された講義コードと一致しない場合、認証部１０４は、通信端末２０の認証を正常に完了しない（認証失敗と判断する）。認証部１０４は、共通コードおよび講義コードに加えて、「配信接続要求」を受信する時刻を用いて通信端末２０の認証を行ってもよい。例えば、「配信接続要求」を受信する時刻が、「配信接続要求」に含まれる講義コードに関連付けて登録される講義時間の開始時刻の前後所定時間内に含まれている場合、認証部１０４は、通信端末２０の認証を正常に完了してもよい。
【００３０】
図６の例では、利用者Ｕ１の通信端末２０が、「配信接続要求」を配信装置１０に送信する。「配信接続要求」に含まれる認証コードは、共通コードが「ＡＢＣ１２３」であり、講義コードが「ＸＸＹＹ１２３Ｂ」であるとする。図６では、共通コードテーブルＴ１に、「配信接続要求」に含まれる共通コードと一致する「ＡＢＣ１２３」が登録されている。さらに、講義コードテーブルＴ２に、「配信接続要求」に含まれる講義コードと一致する「ＸＸＹＹ１２３Ｂ」が登録されている。したがって、認証部１０４は通信端末２０の認証を正常に完了する。
【００３１】
さらに、共通コードおよび講義コードに加えて、「配信接続要求」を受信する時刻により認証を行う場合、図６では「配信接続要求」を受信する時刻は１５：００であり、「配信接続要求」に含まれる講義コードに関連付けられる講義時間の開始時刻は１５：００であり、「配信接続要求」を受信する時刻が、「配信接続要求」に含まれる講義コードに関連付けられる講義の開始時刻の前後所定時間内であるため、通信端末２０の認証を正常に完了してもよい。
【００３２】
図２に戻って、配信装置１０の構成説明を続ける。登録部（登録手段）１０５は、認証部１０４が通信端末２０の認証を正常に完了した後、コンテンツ管理テーブルＴ３に情報を登録する。登録部１０５は、コンテンツ管理テーブルＴ３に情報を登録した後、送信部１０１を介して「登録完了通知」を通信端末２０に送信する。
【００３３】
システム管理者が、予めコンテンツ管理テーブルＴ３に、コンテンツ情報および利用者情報を登録している場合、登録部１０５は、「配信接続要求」に含まれる利用者識別番号と一致する利用者識別番号（利用者情報）をコンテンツ管理テーブルＴ３から検索し、検索した利用者識別番号と、「配信接続要求」に含まれる通信端末２０のＩＰアドレスと、を関連付けて登録する。具体的には、「配信接続要求」のＩＰヘッダ設定部Ｐ２の送信元ＩＰアドレスに設定されるＩＰアドレスを関連付けて登録する。図６の例では、利用者Ｕ１の通信端末２０が、「配信接続要求」に「１９２．１６８．０．１」を設定していたとする。登録部１０５は、「配信接続要求」の利用者識別番号と一致する利用者識別番号をコンテンツ管理テーブルＴ３から検索し、一致する利用者識別番号（利用者Ｕ１）に、「１９２．１６８．０．１」を関連付けて登録する。登録部１０５は、「配信接続要求」に含まれる利用者氏名を、コンテンツ管理テーブルＴ３の利用者識別番号に関連付けてさらに登録してもよい。
【００３４】
システム管理者が、コンテンツ管理テーブルＴ３に予めコンテンツ情報および利用者情報を登録していない場合、登録部１０５は、コンテンツ管理テーブルＴ３の配信コンテンツに、「配信接続要求」に含まれる講義コードに関連付けられる講義用のコンテンツのコンテンツ情報を登録し、コンテンツ管理テーブルＴ３の利用者情報に、「配信接続要求」に含まれる利用者情報を登録する。登録する利用者情報は、利用者識別番号のみであってもよく、利用者識別番号および利用者氏名を登録してもよい。さらに、登録部１０５は、コンテンツ管理テーブルＴ３のＩＰアドレスに、「配信接続要求」に含まれるＩＰアドレスを登録する。
【００３５】
図６の例では、登録部１０５は、コンテンツ管理テーブルＴ３の配信コンテンツに、講義コード「ＸＸＹＹ１２３Ｂ」に関連付けられる講義用のコンテンツのコンテンツ情報（生理学Ａに対応するコンテンツＡ）を登録する。さらに、登録部１０５は、コンテンツ管理テーブルＴ３の利用者情報に、「配信接続要求」を送信する通信端末の利用者Ｕ１の利用者情報を登録する。登録する利用者情報は、利用者Ｕ１の利用者識別番号のみであってもよく、利用者Ｕ１の利用者識別番号および利用者氏名を登録してもよい。さらに、登録部１０５は、コンテンツ管理テーブルＴ３のＩＰアドレスに、「配信接続要求」に含まれるＩＰアドレスである「１９２．１６８．０．１」を、コンテンツＡ及び利用者Ｕ１に関連付けて登録する。
【００３６】
また、システム管理者が、コンテンツ管理テーブルＴ３に予めコンテンツ情報および利用者情報を登録していない場合、例えば、講義を担当する教授や先生などの運用者が講義開始後に、認証を正常に完了した通信端末の利用者情報を画面上で参照し、指定した利用者情報に対して、配信するコンテンツを個々に指定して配信することもできる。具体的には、認証部１０４が通信端末２０の認証を正常に完了すると、登録部１０５は、コンテンツ管理テーブルＴ３の利用者情報に、「配信接続要求」に含まれる利用者情報を登録する。登録する利用者情報は、利用者識別番号のみであってもよく、利用者識別番号および利用者氏名を登録してもよい。さらに、登録部１０５は、コンテンツ管理テーブルＴ３のＩＰアドレスに、「配信接続要求」に含まれるＩＰアドレスを登録する。その後、運用者は、コンテンツ管理テーブルＴ３に登録された利用者情報が表示された画面等を参照し、コンテンツを配信する利用者情報と配信するコンテンツとを指定する。そうすると、登録部１０５は、指定した利用者情報に関連付けられるコンテンツ管理テーブルＴ３の配信コンテンツに、運用者が指定したコンテンツのコンテンツ情報を登録する。
【００３７】
図２に戻って、配信装置１０の構成の説明を続ける。配信部（配信手段）１０６は、通信端末２０に指定したコンテンツを配信する。配信部１０６は、送信部１０１が「登録完了通知」を送信した後、コンテンツ管理テーブルＴ３からコンテンツ情報およびＩＰアドレスを取得する。配信部１０６は、取得したコンテンツ情報に対応するコンテンツを記憶部１０３より取得する。そして、取得したＩＰアドレスを宛先として、取得したコンテンツをプッシュ型配信方式により配信する。
【００３８】
続いて、通信端末２０の構成例について説明する。通信端末２０は、送信部２０１、受信部２０２、記憶部２０３および再生部２０４を有している。送信部２０１および受信部２０２は、配信装置１０、アクセスポイント３０、ネットワーク機器４０およびＤＨＣＰサーバ５０と通信を行う。送信部２０１および受信部２０２は、通信を行うアプリケーション（プログラム）として搭載されていてもよい。送信部２０１は、「配信接続要求」を配信装置１０へ送信するため、配信接続要求送信手段（配信接続要求送信部）を備えているとも言える。受信部２０２は、「登録完了通知」を配信装置１０から受信するため、登録完了通知受信手段（登録完了通知受信部）を備えているとも言える。
【００３９】
記憶部２０３は、少なくとも、認証コード、ＤＨＣＰサーバ５０から付与（設定）された通信端末２０のＩＰアドレス、通信端末２０の利用者情報を記憶する。再生部２０４は、配信装置１０から取得したコンテンツを再生する機能を有する。再生部２０４は、映像コンテンツの視聴に必要な映像再生アプリケーションとして搭載されていてもよい。
【００４０】
次に、図７を用いて、本実施の形態にかかる配信システム１の動作例について説明する。まず、通信端末２０は、アクセスポイント３０に無線通信の接続を要求し（ステップＳ１）、アクセスポイント３０は、通信端末２０と無線通信の接続を完了する（ステップＳ２）。
続いて、通信端末２０は、ＤＨＣＰサーバ５０へ、通信端末２０が使用するＩＰアドレスの払い出しを要求し（ステップＳ３）、ＤＨＣＰサーバ５０は、通信端末２０にＩＰアドレスを付与する（ステップＳ４）。通信端末２０は、ＤＨＣＰサーバ５０から付与されたＩＰアドレスを正常に受信すると（ステップＳ５）、肯定応答をＤＨＣＰサーバ５０に送信し（ステップＳ６）、ＤＨＣＰサーバ５０は、通信端末２０へ承諾を通知する（ステップＳ７）。
通信端末２０は、ＤＨＣＰサーバ５０から承諾の通知を受信すると、付与されたＩＰアドレスを送信部２０１及び受信部２０２に設定し、記憶部２０３に記憶する（ステップＳ８）。ここまでの手順は、利用者の通信端末２０にＤＨＣＰサーバ５０から自動的にＩＰアドレスが付与され、通信端末２０に付与されたＩＰアドレスを設定する手順である。通信端末２０が、タブレット端末やスマートフォン等のモバイルデバイスであり、無線ＬＡＮで通信を行う場合、以上の様なＤＨＣＰサーバ５０を用いたＩＰアドレス付与の方式が用いられる。なお、以上の手順はＩＥＴＦ（Internet Engineering Task Force）により標準化された技術仕様であるＲＦＣ（Request for Comments）２１３１で規定された手順であるが、これに限られず、ＤＨＣＰサーバ５０が通信端末２０に対しＩＰアドレスを付与し、通信端末２０が付与されたＩＰアドレスを設定する手順であれば別の手順であってもよい。
【００４１】
続いて、通信端末２０は、配信装置１０へ、「配信接続要求」を送信する（ステップＳ９）。具体的には、送信部２０１は、記憶部２０３から通信端末２０のＩＰアドレス、認証コード、利用者識別番号および利用者氏名を取得し、各情報を設定した「配信接続要求」を送信する。配信装置１０は、「配信接続要求」を受信すると、通信端末２０の認証を行う（ステップＳ１０）。具体的には、受信部１０２は、「配信接続要求」を受信する。認証部１０４は、「配信接続要求」に含まれる認証コードを取得し、上述の通り、通信端末２０の認証を行う。
【００４２】
続いて、配信装置１０は、通信端末２０の認証が正常に完了すると、コンテンツ管理テーブルＴ３に情報を登録する（ステップＳ１１）。具体的には、登録部１０５は、上述の通り、利用者識別番号（及びコンテンツ情報）と「配信接続要求」に含まれる通信端末２０のＩＰアドレスを関連付けて登録する。
【００４３】
配信装置１０は、コンテンツ管理テーブルＴ３に各情報を登録した後、通信端末２０へ「登録完了通知」を送信する（ステップＳ１２）。具体的には、送信部１０１は、認証及び登録完了した通信端末２０のＩＰアドレス、認証コード、利用者識別番号を設定した「登録完了通知」を送信する。
通信端末２０は、「登録完了通知」を受信した後、配信装置１０からプッシュ型配信方式により配信されるコンテンツを待ち受ける状態へ遷移する（ステップＳ１３）。具体的には、受信部２０２が「登録完了通知」を受信した後、再生部２０４はコンテンツを待ち受ける状態（スタンバイ状態）に遷移する。
続いて、配信装置１０は、コンテンツを、通信端末２０へプッシュ型配信方式により配信する（ステップＳ１４）。具体的には、配信部１０６は、コンテンツ管理テーブルＴ３に登録されたコンテンツ情報のコンテンツを、当該コンテンツに関連付けられたＩＰアドレスを宛先ＩＰアドレスとして、プッシュ型配信方式により配信する。その後、通信端末２０は、配信装置１０から配信されたコンテンツを再生部２０４で再生する。
【００４４】
次に、本実施の形態における効果を説明する。第一の効果は、通信端末２０の利用者識別番号や利用者氏名など利用者を識別するための利用者情報と通信端末２０のＩＰアドレスとを関連づけることを実現し、コンテンツの配信先である通信端末２０を配信装置１０で容易に識別させることを可能とすることである。したがって、配信装置１０は、利用者の通信端末を容易に個体識別でき、特定の通信端末に指定したコンテンツを配信することが可能となる。
【００４５】
第二の効果は、通信端末２０の利用者のみならず、配信システム１の管理者が要する運用上の手間を省略し、簡単に配信装置から任意の通信端末に対し、指定した映像コンテンツを配信する環境を提供することが可能となることである。ここで、本実施の形態にかかる配信システム１を用いず、通信端末に設定されたＩＰアドレスと通信端末とを関連付けて登録をする場合を考える。通信端末が設定したＩＰアドレスと一意に紐付けされる通信端末の管理情報は、ＭＡＣ（Ｍｅｄｉａ  Ａｃｃｅｓｓ  Ｃｏｎｔｒｏｌ）アドレスのみであることから、通信端末が設定したＩＰアドレスと通信端末を識別する情報とを関連付けることは容易ではない。ＭＡＣアドレスは通信端末が固有に備えるアドレスであり、通信端末の利用者は、ＭＡＣアドレスを視認可能である。そのため、ＭＡＣアドレスを用いて、通信端末が設定したＩＰアドレスと通信端末を識別する情報であるＭＡＣアドレスとを関連づけることは可能である。しかし、ＭＡＣアドレスを用いて、通信端末が設定したＩＰアドレスとＭＡＣアドレスとを関連づけることは複雑である。ＭＡＣアドレスは通信端末の機種により異なることからも容易ではない。
【００４６】
仮に、利用者が利用する通信端末のＭＡＣアドレスを確認し、システム管理者に確認したＭＡＣアドレスを通知することが可能である場合、システム管理者が、例えば、利用者氏名や学籍番号などの通信端末を識別する情報とＭＡＣアドレスとを関連付けて設定することも可能である。しかし、システム管理者が通信端末を識別する情報とＭＡＣアドレスとを関連付けて設定することは、運用上、非常に労力を要する。
【００４７】
通信端末の利用者が利用する通信端末のＭＡＣアドレスを確認し、システム管理者が当該ＭＡＣアドレスと通信端末を識別する情報とを関連付けて設定する設定例を図２０に記載する。
まず、利用者が通信端末をネットワークへ接続し（ステップＳ１００１）、ＤＨＣＰサーバは利用者の通信端末に自動的にＩＰアドレスを付与する（ステップＳ１００２）。次に、利用者が通信端末のネットワーク設定画面を表示し（ステップＳ１００３）、利用者はネットワーク設定画面から通信端末を識別する情報(ＩＰアドレス、ＭＡＣアドレス（ハードウェアアドレス）)を確認する（ステップＳ１００４）。その後、利用者は利用者氏名と通信端末の識別情報をシステム管理者へ申告する（ステップＳ１００５）。続いて、システム管理者は配信装置上で利用者氏名と通信端末の識別情報を登録する（ステップＳ１００６）。そして、配信装置上でＩＰアドレスと通信端末の識別情報（利用者）が一意に関連付けられ、通信端末の管理が可能となる（ステップＳ１００７）。
【００４８】
このように、システム管理者は、１人の利用者に対しステップＳ１００１からステップＳ１００７の手順により情報を登録する。そのため、利用者のみならず、システム管理者の手間や労力も相当なものとなる。すなわち、通信端末に設定されたＩＰアドレスと通信端末を識別する情報とを関連付けるのは容易ではない。
【００４９】
一方、本実施の形態にかかる配信システム１を用いることで、通信端末２０は自己が設定するＩＰアドレスと通信端末２０の利用者の利用者情報を配信装置に送信し、配信装置１０がこれらを関連付けて登録する。そのため、通信端末２０の利用者のみならず、配信システム１の管理者が要する運用上の手間を省略し、簡単に配信装置１０から任意の通信端末に対し、指定した映像コンテンツを配信する環境を提供することが可能となる。
【００５０】
第三の効果は、システム管理者やシステム運用者が、配信装置１０で利用者を識別しやすい利用者識別番号や利用者氏名等の情報を以て、指定した相手へ映像コンテンツを送信する操作が可能となることである。その理由は、配信装置１０は、通信端末２０のＩＰアドレスと共に、利用者識別番号や利用者氏名等の利用者を識別する情報を関連付けて登録するためである。
【００５１】
第四の効果は、意図しない利用者への映像配信を抑止することが可能となることである。本実施の形態における配信システムを用いない場合を考えてみる。例えば、教育機関における無線ＬＡＮ環境では、学内の学生や職員が共通のアクセスポイントの接続識別子（ＳＳＩＤ（Service Set Identifier））やパスワードを使用することが多い。そのため、学内の学生や職員は、共通のアクセスポイントの接続識別子（ＳＳＩＤ）やパスワードを入手し、ＤＨＣＰサーバよりＩＰアドレスを受領することで、自身の通信端末を用いて、教育機関における無線ＬＡＮとの通信を行うことが可能である。その反面、学内の学生や教員でない利用者が共通のアクセスポイントの接続識別子（ＳＳＩＤ）やパスワードを入手することで、学内の無線ＬＡＮに接続できてしまい、さらには、学内の無線ＬＡＮに接続した通信端末を以て、登録していない講義の映像配信を視聴できるという課題も生ずる。
【００５２】
一方、本実施の形態にかかる配信システム１を用いることにより、通信端末２０は無線ＬＡＮに接続する際、予め通信端末内部に記憶された認証コードを「配信接続要求」に含めて送信し、配信装置１０が認証コードを用いて、通信端末２０の認証を行う。これにより、意図しない通信端末がコンテンツ管理テーブルに登録され、映像配信がされてしまうことを事前に抑止することが可能となる。また、本発明の認証コードは共通コードと講義コードの２つのコード体系から構成されるため、例えば、特定の教育機関外あるいは学部外の学生を配信装置に登録させないことに加え、当該利用者が講義の受講者ではない場合も登録を拒否することが可能となり、よりセキュリティの高いシステムを提供することができる。
【００５３】
（実施の形態２）
続いて、図２１を用いて、本発明の実施の形態２において前提となる課題について説明する。例えば、教育機関等の教室等、特定の室内で講義を受ける場合、配信装置は配信するコンテンツを当該室内のアクセスポイントに接続される通信端末に配信する。一般的に、教育機関等の教室等では、複数のアクセスポイントが配置されている。本図ではアクセスポイントはアクセスポイント３００＿１〜３００＿６の６台が設置されているものとする。各アクセスポイントがカバーするエリアは、エリア３０１＿１〜３０１＿６とし、当該教室等の室内の出入口は１ヵ所であるものとする。各利用者は、当該室内に入ると、出入口に最も近く位置するアクセスポイント３００＿１に接続する。
【００５４】
利用者Ｕ１が、Ｐｏｉｎｔ  Ａより入室する所作をとり、Ｐｏｉｎｔ  Ｂに向かうとする。Ｐｏｉｎｔ  Ａにおいて、利用者Ｕ１の通信端末がアクセスポイントの無線電波を受信可能な状態である場合、アクセスポイント３００＿１と接続する。その後、利用者Ｕ１は、アクセスポイント３００＿１の無線電波が到達するエリア３０１＿１（以下、各アクセスポイントがカバーするエリアをセルと称す）を通過し、目的地であるＰｏｉｎｔ  Ｂに向かう。通常、Ｐｏｉｎｔ  Ｂでは、利用者Ｕ１の通信端末は、セル３０１＿６に無線電波を出力するアクセスポイント３００＿６に接続する。この場合、利用者Ｕ１の通信端末は、自身が存在する位置をカバーしている適切なアクセスポイントに接続されているため問題は生じない。室内に複数の利用者が存在し、各利用者が均等に位置している場合、全ての利用者の通信端末が適切なアクセスポイントに接続する場合、特定のアクセスポイントの負荷は偏らず、適切に負荷が分散されることになる。
【００５５】
しかし、実際には、利用者Ｕ１の通信端末は、Ｐｏｉｎｔ  Ｂに位置していた場合でも、アクセスポイント３００＿６に接続せず、他のアクセスポイントに接続されるケースがある。そのため、複数の利用者が室内に均等に位置している場合でも、各アクセスポイントに接続する通信端末の台数は均等化されず、アクセスポイント毎で接続する通信端末の台数が偏ってしまうという問題が生じる。その結果、当該アクセスポイントに接続する通信端末では、配信される映像が乱れてしまうという問題が生じる。
【００５６】
その理由は、無線ＬＡＮ通信では、通信端末の無線電波の受信感度が異なることや通信端末のローミング頻度の設定の影響により、特定の通信端末を特定のアクセスポイントへ接続させることが困難な場合があるからである。さらに、アクセスポイント３００＿１〜３００＿６のいずれと通信するかを決定するのは、通信端末のハードウェア特性やドライバーの動作に依存する。そして、各アクセスポイントの電波の強さ（電界強度）は、室内の障害物による電波遮蔽や、壁等による反射の影響を受けるため、設計通り均一化されない。さらに、アクセスポイントでの負荷分散機能は、通信量などのトラフィックを基準に動作するため、セルが重複するエリアをどのアクセスポイントで収容するかを自動判別できず、収容する通信端末の台数による負荷分散は行えないからである。ゆえに、室内に複数のアクセスポイントが存在し、利用者が均等に位置していたとしても、特定のアクセスポイントに接続する通信端末の台数が偏ってしまい、無線ＬＡＮアクセスの負荷は均一化されないという問題が生じる。すなわち、適切な負荷分散が行われないという問題が生じる。
【００５７】
そこで、本実施の形態にかかる配信システムは、各アクセスポイントに接続する台数を均等化し、適切に負荷を分散させることを目的とする。
【００５８】
本実施の形態にかかる配信システム１の構成例を説明する。図８は、本実施の形態にかかる配信システム１の構成を示す構成図である。本実施の形態にかかる配信システム１は、実施の形態１の構成に加えて、複数のアクセスポイントを備え、通信端末２０は、いずれかのアクセスポイントを介して配信装置１０と通信可能である。図８では、説明をする上で、本実施の形態にかかる配信システム１では、便宜的にアクセスポイントは２台とし、アクセスポイント３０およびアクセスポイント３１を備える。しかし、アクセスポイントの台数はこれに限られない。
【００５９】
次に、本実施の形態にかかる配信装置１０の構成例を説明する。本実施の形態にかかる配信装置１０は、実施の形態１の配信装置の構成に加えて、検索部１０７をさらに有している。また、記憶部１０３は、後述する接続先指定管理テーブルＴ４をさらに記憶している。以下、配信装置１０の構成例に関して、実施の形態１との差分を記載する。
【００６０】
送信部１０１は、実施の形態１の構成例に加えて、後述する「接続許可応答」を通信端末２０に送信する接続識別子送信手段を備えているとも言える。受信部１０２は、実施の形態１の構成例に加えて、実施の形態１の構成例に加えて、後述する「再接続完了通知」を通信端末２０から受信する。
【００６１】
ここで、通信パケットの具体例として、配信装置１０から通信端末２０へ配信装置１０と接続を許可する通知および通信端末２０に接続を指定するアクセスポイントを通知する「接続許可応答」と、通信端末２０から配信装置１０へ配信装置１０が指定したアクセスポイントに接続完了を通知する「再接続完了通知」の構成について説明する。
図９は、「接続許可応答」のデータ構成例を示している。「接続許可応答」は、配信装置１０から通信端末２０へ送信されるため、「接続許可応答」のＩＰヘッダ設定部Ｐ２には、例えば、送信元ＩＰアドレスとして配信装置１０のＩＰアドレスを設定し、宛先ＩＰアドレスとして通信端末２０のＩＰアドレスを設定する。「接続許可応答」の場合、データ設定部Ｐ４は、制御コード設定部Ｐ５、認証コード設定部Ｐ６、利用者識別番号設定部Ｐ７および指定ＡＰ（再接続先）ＳＳＩＤ設定部Ｐ９を含む。制御コード設定部Ｐ５には、「接続許可応答」に対応する２が設定される。認証コード設定部Ｐ６と利用者識別番号設定部Ｐ７は、「配信接続要求」と同様である。指定ＡＰ（再接続先）ＳＳＩＤ設定部Ｐ９は、後述する接続先指定管理テーブルＴ４に登録されるアクセスポイントの接続識別子（ＳＳＩＤ）が設定される。
【００６２】
図１０は、「再接続完了通知」のデータ構成例を示している。「再接続完了通知」は、通信端末２０から配信装置１０へ送信されるため、「再接続完了通知」のＩＰヘッダ設定部Ｐ２には、例えば、送信元ＩＰアドレスとして通信端末２０のＩＰアドレスを設定し、宛先ＩＰアドレスとして配信装置１０のＩＰアドレスを設定する。「再接続完了通知」の場合、データ設定部Ｐ４は、制御コード設定部Ｐ５、認証コード設定部Ｐ６および利用者識別番号設定部Ｐ７を含む。制御コード設定部Ｐ５には、「再接続完了通知」に対応する３が設定される。認証コード設定部Ｐ６と利用者識別番号設定部Ｐ７は、「配信接続要求」と同様である。
【００６３】
記憶部１０３は、実施の形態１の構成に加えて、接続先指定管理テーブルＴ４をさらに記憶する。接続先指定管理テーブルＴ４の一例を図１１に記載する。接続先指定管理テーブルＴ４は、コンテンツを配信する利用者の利用者情報と、利用者毎に接続を指定するアクセスポイントと、を関連付けて登録するテーブルである。接続先指定管理テーブルＴ４は、コンテンツを配信する利用者の利用者情報と、当該利用者に接続先として指定するアクセスポイント名と、当該利用者に接続先として指定するアクセスポイントの接続識別子（ＳＳＩＤ）と、が関連付けて登録される。接続先指定管理テーブルＴ４の利用者情報は、コンテンツを配信する利用者の利用者情報が登録される。登録する情報は、利用者識別番号のみであってもよく、利用者識別番号および利用者氏名であってもよい。接続先指定管理テーブルＴ４のアクセスポイント名は、利用者毎に指定する接続先のアクセスポイントの名称が登録される。接続先指定管理テーブルＴ４の接続識別子（ＳＳＩＤ）は、利用者毎に指定する接続先のアクセスポイントの接続識別子（ＳＳＩＤ）が登録される。システム管理者は、予め接続先指定管理テーブルＴ４の各情報を登録する。
【００６４】
図８に戻り説明を続ける。登録部１０５は、実施の形態１と同様にコンテンツ管理テーブルＴ３に情報を登録する。登録するタイミングは、実施の形態１と異なり、「再接続完了通知」を受信した後に行う。登録する情報は、実施の形態１と同様である。
【００６５】
認証部１０４が通信端末２０の認証を正常に完了すると、検索部１０７は、「配信接続要求」に含まれる利用者識別番号と一致する利用者識別番号を接続先指定管理テーブルＴ４から検索し、一致する利用者識別番号と関連付けて登録される接続識別子（ＳＳＩＤ）を取得する。検索部１０７は、取得した接続識別子（ＳＳＩＤ）を、「接続許可応答」の指定ＡＰ（再接続先）ＳＳＩＤ設定部Ｐ９に設定し、送信部１０１を介して通信端末２０に送信する。
【００６６】
続いて、図８に戻り、通信端末２０の構成例を説明する。通信端末２０は、実施の形態１の通信端末２０の構成に加えて、接続切替部２０５をさらに有している。接続切替部２０５は、アクセスポイントへの接続を切替える通信制御アプリケーション（プログラム）として搭載されていてもよい。以下、通信端末２０の構成例に関して、実施の形態１との差分を記載する。
【００６７】
受信部２０２は、実施の形態１の構成に加えて、「接続許可応答」を配信装置１０から受信する。さらに、後述する「再接続完了通知」を受信する。
接続切替部２０５は、「接続許可応答」の指定ＡＰ（再接続先）ＳＳＩＤ設定部Ｐ９から、接続識別子（ＳＳＩＤ）を取得する。そして、接続中のアクセスポイントから取得した接続識別子（ＳＳＩＤ）のアクセスポイントへ接続切替を行う。接続切替部２０５は、アクセスポイントの接続切替が完了すると、アクセスポイントの接続切替が完了したことを通知する信号である「再接続完了通知」を送信部２０１を介して配信装置１０に送信する。
【００６８】
例えば、現在、通信端末２０がアクセスポイント３０に接続している。接続切替部２０５は、「接続許可応答」の指定ＡＰ（再接続先）ＳＳＩＤ設定部Ｐ９から接続識別子（ＳＳＩＤ）を取得する。取得した接続識別子（ＳＳＩＤ）がアクセスポイント３１に対応する接続識別子（ＳＳＩＤ）である場合、接続切替部２０５は、アクセスポイント３０から、アクセスポイント３１に接続切替を行う。その後、接続切替部２０５は、送信部２０１を介し、「再接続完了通知」を配信装置１０に送信する。
【００６９】
続いて、本実施の形態にかかる配信システムの動作例を図１２に示す。図１２のうち、ステップＳ１０１〜Ｓ１１０は、実施の形態１におけるステップＳ１〜Ｓ９に対応し動作内容に差分は無い。配信装置１０は、ステップＳ１１０にて通信端末２０の認証を正常に完了すると、通信端末２０に関連付けて登録されるアクセスポイントの接続識別子（ＳＳＩＤ）を接続先指定管理テーブルＴ４から検索する（ステップＳ１１１）。具体的には、検索部１０７は、「配信接続要求」に含まれる通信端末２０の利用者識別番号と一致する利用者識別番号を接続先指定管理テーブルＴ４から検索し、一致する利用者識別番号と関連付けて登録される接続識別子（ＳＳＩＤ）を取得する。
【００７０】
配信装置１０は、取得した接続識別子（ＳＳＩＤ）を「接続許可応答」に含めて通信端末２０に送信する（ステップＳ１１２）。具体的には、検索部１０７は、取得した接続識別子（ＳＳＩＤ）を、「接続許可応答」の指定ＡＰ（再接続先）ＳＳＩＤ設定部Ｐ９に設定し、送信部１０１を介して通信端末２０に送信する。通信端末２０は、指定された接続識別子（ＳＳＩＤ）のアクセスポイントに接続先を切替えるため、当該アクセスポイントに接続要求を行う（ステップＳ１１３）。具体的には、接続切替部２０５は、「接続許可応答」から接続識別子（ＳＳＩＤ）を取得し、指定された接続識別子（ＳＳＩＤ）のアクセスポイントに接続要求を行う。
【００７１】
その後、通信端末２０は、指定された接続識別子（ＳＳＩＤ）のアクセスポイントに接続し（ステップＳ１１４）、通信端末２０は、配信装置１０に「再接続完了通知」を送信する（ステップＳ１１５）。具体的には、接続切替部２０５は、指定されたアクセスポイントに接続を行った後、「再接続完了通知」を、送信部２０１を介して配信装置１０に送信する。配信装置１０は、コンテンツ管理テーブルＴ３に各情報を登録する（ステップＳ１１６）。具体的には、登録部１０５は、コンテンツ管理テーブルＴ３に、コンテンツ情報と、通信端末２０の利用者情報と、通信端末２０のＩＰアドレスと、を関連付けて登録する。
以降の動作は、実施の形態１と同様であり、実施の形態１のステップＳ１２〜Ｓ１４と、本実施の形態のステップＳ１１７〜Ｓ１１９とが対応する。
【００７２】
本実施の形態にかかる配信システム１における動作の具体例を説明する。図１３は、利用者ＵＡ、利用者ＵＢおよび利用者ＵＺの３名が出入口から入室する前の状態である。例示する前提条件として、利用者は利用者ＵＡから利用者ＵＺの２６名である。また、配信システム１のアクセスポイントは、同じ室内に設置されており、アクセスポイント３０からアクセスポイント３３の合計４台が設置される。無線ＬＡアクセスポイント３０〜３３のアクセスポイント名は、それぞれ「ＡＰ１」〜「ＡＰ４」である。アクセスポイント３０〜３３の接続識別子（ＳＳＩＤ）は、それぞれ「ＡＣＣＥＳＳ１」〜「ＡＣＣＥＳＳ４」である。なお、各利用者は、室内へ入室した際に、必ずアクセスポイント３０に接続することとする。さらに、利用者ＵＡ〜利用者ＵＺの通信端末２０＿１〜通信端末２０＿２６のＭＡＣアドレスは、それぞれ「ＡＡ：ＡＡ：ＡＡ：ＡＡ：ＡＡ：ＡＡ」〜「ＺＺ：ＺＺ：ＺＺ：ＺＺ：ＺＺ：ＺＺ」とする。ＤＨＣＰサーバ５０でプールされたＩＰアドレス（付与するために用意されたＩＰアドレス）は合計２６個存在し、「１９２．１６８．０．１」〜「１９２．１６８．０．２６」とする。ＤＨＣＰサーバ５０では、プールされたＩＰアドレスと通信端末のＭＡＣアドレスとを関連付けるＩＰアドレス付与テーブルＴ５を保持しているとする。配信装置１０では、システム管理者がコンテンツ管理テーブルＴ３および接続先指定管理テーブルＴ４の情報を予め登録している。コンテンツ管理テーブルＴ３には、コンテンツ情報と利用者情報とが予め登録され、接続先指定管理テーブルＴ４には利用者情報とアクセスポイント名と接続識別子（ＳＳＩＤ）とが予め登録されているものとする。コンテンツ管理テーブルＴ３のＩＰアドレスおよびＩＰアドレス付与テーブルＴ５の通信端末のＭＡＣアドレスが未登録の状態を表した例である。
【００７３】
続いて、図１４は、利用者ＵＡ、ＵＢ、ＵＺの３名が室内へ入室し、利用者ＵＺを接続順１とし、利用者ＵＢを接続順２とし、利用者ＵＡを接続順３として、各利用者の通信端末が入室と同時に無線ＬＡＮへ接続した後の状態を示した図である。各利用者の通信端末は、アクセスポイント３０に接続する。ＤＨＣＰサーバ５０は、接続順にしたがって、通信端末にＩＰアドレスを付与し、ＩＰアドレス付与テーブルＴ５にＩＰアドレスと通信端末のＭＡＣアドレスとを関連付けて登録する。本図では、ＤＨＣＰサーバ５０は、接続順が１番目の利用者ＵＺの通信端末２０＿２６に「１９２．１６８．０．１」を付与する。次の接続順である利用者ＵＢの通信端末２０＿２に「１９２．１６８．０．２」を付与する。その次の接続順である利用者ＵＡの通信端末２０＿１に「１９２．１６８．０．３」を付与することを示している。各通信端末は、ＤＨＣＰサーバ５０から付与されたＩＰアドレスを設定する。この時、ＤＨＣＰサーバ５０が、例えば、ＲＦＣ２１３１に規定された仕様を用いてＩＰアドレスを付与する場合、ＤＨＣＰサーバ５０は、通信端末のＭＡＣアドレスを認識することはできるが、それ以外の情報を得ることはできない。その後、各通信端末は、配信装置１０に対し、「配信接続要求」を送信する。配信装置１０は、「配信接続要求」に含まれる認証コード（共通コードおよび講義コード）に基づいて、通信端末２０＿１、２０＿２および２０＿２６の認証をそれぞれ行う。
【００７４】
図１５は、配信装置１０が通信端末２０＿１、２０＿２および２０＿２６の認証を正常に完了した後の状態を示した図である。配信装置１０は、各通信端末の認証を正常に完了すると、接続先指定管理テーブルＴ４を検索し、通信端末２０＿１、２０＿２および２０＿２６の利用者ＵＡ、ＵＢ、ＵＺの接続識別子（ＳＳＩＤ）を検索する。利用者ＵＡの接続識別子（ＳＳＩＤ）は、アクセスポイント３１の接続識別子（ＳＳＩＤ）である「ＡＣＣＥＳＳ２」が指定されている。利用者ＵＢの接続識別子（ＳＳＩＤ）には、アクセスポイント３１の接続識別子（ＳＳＩＤ）である「ＡＣＣＥＳＳ２」が指定されている。利用者ＵＺの接続識別子（ＳＳＩＤ）には、アクセスポイント３３の接続識別子（ＳＳＩＤ）である「ＡＣＣＥＳＳ４」が指定されている。配信装置１０は、「接続許可応答」の指定ＡＰ（再接続先）ＳＳＩＤ設定部Ｐ９に各利用者の接続識別子（ＳＳＩＤ）を設定し、各通信端末に送信する。各通信端末は、「接続許可応答」を受信すると、アクセスポイント３０から指定された接続識別子（ＳＳＩＤ）のアクセスポイントに接続を切替える。
【００７５】
図１６は、各通信端末が接続するアクセスポイントを切替えた後の状態を示した図である。各通信端末は、「再接続完了通知」を配信装置１０に送信する。配信装置１０は、各通信端末の利用者識別番号と一致する利用者識別番号を検索し、コンテンツ管理テーブルＴ３に一致する利用者識別番号に関連付けて各通信端末のＩＰアドレスを登録する。通信端末２０＿１、２０＿２および２０＿２６のＩＰアドレスは、それぞれ「１９２．１６８．０．３」、「１９２．１６８．０．２」、「１９２．１６８．０．１」であるため、コンテンツ管理テーブルＴ３に当該ＩＰアドレスを登録する。これにより、配信装置１０では、通信端末２０＿１、２０＿２および２０＿２６のＩＰアドレスと利用者情報と配信コンテンツとの関連付けが行われ、利用者ＵＡ、ＵＢおよびＵＺの３名に対して、指定した配信コンテンツを配信することが可能となる。
【００７６】
本実施の形態にかかる配信システムによれば、実施の形態１にかかる配信システムの効果に加えて、コンテンツの伝送路となる各アクセスポイントに接続する台数を均等化し、適切に負荷を分散させることができる。
【００７７】
一般的に、映像等のコンテンツを配信すると、Ｗｅｂ閲覧や電子メールなどの突発的かつ少量のトラフィック（通信量）と異なり、１セッションあたり数Ｍｂｐｓ(Mega bit per second)クラスの大容量トラフィックが常時流れる形態となる。このため、特定のアクセスポイントに接続する端末台数が偏ると、そのアクセスポイントを経由する通信が輻輳し、結果的に映像の擾乱を招くことになる。
【００７８】
一方、本実施の形態にかかる配信システム１によれば、通信の輻輳を抑止し、結果的に映像等のコンテンツの擾乱をも抑止することができる。その理由は、あらかじめ利用者個々に接続するアクセスポイントの接続識別子（ＳＳＩＤ）を、配信装置１０から利用者の通信端末２０に送信し、通信端末２０は指定されたアクセスポイントへ再接続することができるからである。したがって、運用者またはシステム管理者の設計意図に沿って、配信装置１０は、利用者の通信端末２０に接続するアクセスポイントを指定する。そして、室内に設置された複数のアクセスポイントに接続する通信端末の台数を均一に割り振ることが可能となる。すなわち、１つのアクセスポイントあたりの端末接続台数を制限することが可能となり、通信負荷の分散が行える。そして、結果的に、無線通信の疎密を回避し、アクセスポイントを経由する通信が輻輳するのを抑止し、映像の擾乱を招くことも抑止することが可能となる。
【００７９】
さらに、本実施の形態にかかる配信システム１によれば、通信端末２０を操作する利用者は、接続するアクセスポイントの接続識別子（ＳＳＩＤ）を手動で入力する等、複雑な端末設定操作を行うことなく、特定のアクセスポイントへの接続、認証、接続識別子（ＳＳＩＤ）の送信を行うことが可能となる。
【００８０】
（実施の形態３）
本発明の実施の形態３は、実施の形態２の他の例である。図１７は、本実施の形態にかかる配信システム１の構成例を示している。図１７に示すように、本実施の形態にかかる配信システム１は、実施の形態２の構成に対して、コンテンツサーバ６０をさらに有している。コンテンツサーバ６０は、配信装置１０が配信コンテンツを記憶するサーバである。コンテンツサーバ６０は、配信装置１０から、指定されたコンテンツおよびＩＰアドレスを含む「配信要求」を受信すると、通信端末２０に対して指定されたコンテンツを配信する。
【００８１】
本実施の形態における配信装置１０の構成例を実施の形態１と比較して説明する。本実施の形態では、記憶部１０３は、利用者毎に配信する配信コンテンツは記憶せず、コンテンツサーバ６０に記憶する。また、配信部１０６は、送信部１０１が「登録完了通知」を通信端末２０に送信した後、コンテンツ管理テーブルＴ３を検索し、配信コンテンツおよび配信先ＩＰアドレスを取得する。取得した配信コンテンツの名称および配信先ＩＰアドレスを含む配信要求を、送信部１０１を介してコンテンツサーバ６０に送信する。
【００８２】
続いて、本実施の形態における配信システム１の動作例を図１８に記載する。本実施の形態における動作例を実施の形態２と比較して説明する。本図のステップＳ１１８までの動作は実施の形態２と同様である。本実施の形態では、ステップＳ１１８以降の動作が異なる。配信装置１０は、通信端末２０に対し、「登録完了通知」を送信すると、コンテンツ管理テーブルＴ３を検索し、コンテンツ情報およびＩＰアドレスを取得する。配信装置１０は、取得したコンテンツ情報およびＩＰアドレスを含む配信要求をコンテンツサーバ６０に送信する（ステップＳ１２０）。具体的には、配信部１０６は、コンテンツ管理テーブルＴ３からコンテンツ情報およびＩＰアドレスを取得する。配信部１０６は、取得したコンテンツ情報およびＩＰアドレスを含む配信要求を、送信部１０１を介し送信する。コンテンツサーバ６０は、配信要求を受信すると、指定されたコンテンツ情報のコンテンツを、指定されたＩＰアドレスへ配信する（ステップＳ１２１）。
【００８３】
本実施の形態にかかる配信システム１によれば、コンテンツを保持する記憶部のデータ領域を軽減することができ、配信システム１を容易に構築することが可能となる。
【００８４】
（変形例１）
以上の説明では、配信装置１０は、コンテンツサーバ６０に対して、配信要求を送信し、コンテンツサーバ６０が通信端末２０に指定されたコンテンツを配信することを説明した。しかし、これに限られることはなく、例えば、コンテンツサーバ６０が配信要求を受信した後、指定されたコンテンツ情報のコンテンツを配信装置１０に送信し、配信装置１０がコンテンツを通信端末２０に配信してもよい。
【００８５】
（他の実施の形態）
以上の説明では、配信システム１は教育機関において講義の映像などのコンテンツを配信する例とした。しかし、例えば、小学校、中学校、高等学校などにおいて、学生が着席する座席毎にグループを作り、グループ単位で異なる視聴教材を配信し、内容に従った演習やディスカッションを行う際にも適用することができる。すなわち、コンテンツ管理テーブルＴ３の利用者情報として、利用者が所属するグループをさらに登録してもよい。そして、配信装置１０は、コンテンツ管理テーブルＴ３に登録されたコンテンツ情報のコンテンツを登録されたグループ単位で配信してもよい。
【００８６】
さらに、例えば、医学系や薬学系の大学において、各学生の席に設置された顕微鏡からカメラで撮像した映像を配信装置へ送信し、それを教授の操作により、１：１配信（利用者の顕微鏡映像を本人の端末に配信）、または１：Ｎ配信（特定の学生の顕微鏡映像を全員の端末に配信）、またはｎ：Ｎ配信（グループ単位で、特定の学生の顕微鏡映像をグループ全員の端末に配信）を行ってもよい。具体的には、実施の形態１から実施の形態３の通信端末２０は、図１９に示すように、画像または映像を撮影する撮影部２０６をさらに有し、撮影部２０６で撮影した画像または映像などのコンテンツを記憶部２０３に記憶する。記憶したコンテンツを送信部２０１から配信装置１０に送信する。配信装置１０は、記憶部１０３に受信したコンテンツを記憶する。そして、当該コンテンツをコンテンツ管理テーブルＴ３に登録し、受講する講義の学生や教授に配信することでもよい。
【００８７】
上記実施の形態における各構成は、ハードウェア又はソフトウェア、もしくはその両方によって構成されてもよい。例えば、上記実施の形態における各処理を、ＣＰＵ（Ｃｅｎｔｒａｌ  Ｐｒｏｃｅｓｓｉｎｇ  Ｕｎｉｔ）にコンピュータプログラムを実行させることにより実現することも可能である。
【００８８】
上記の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実態のある記録媒体(trangible storage medium)を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programable ROM）、ＥＰＲＯＭ(Erasable PROM)）、フラッシュＲＯＭ、ＲＡＭ(Random Access Memory)を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００８９】
なお、本発明は上記実施の形態に限られたものではなく、趣旨を逸脱しない範囲で適宜変更することが可能である。
【００９０】
上記の実施形態の一部又は全部は、以下の付記のようにも記載されうるが、以下には限られない。
（付記１）
通信端末へ配信するコンテンツのコンテンツ情報と、前記通信端末を利用する利用者の利用者情報と、を関連付けて登録するコンテンツ管理テーブルを記憶する記憶手段と、
前記通信端末から、前記通信端末の利用者情報および前記通信端末のアドレス情報を含むコンテンツ配信要求を受信する受信手段と、
前記受信されたコンテンツ配信要求に含まれる前記利用者情報及び前記アドレス情報に基づいて、前記コンテンツ管理テーブルの前記コンテンツ情報及び前記利用者情報に前記アドレス情報を関連付けて登録する登録手段と、
前記コンテンツ管理テーブルに登録されたアドレス情報の通信端末へ、前記アドレス情報に関連付けられた前記コンテンツ情報の前記コンテンツを配信する配信手段と、
を有する配信装置。
（付記２）
前記登録手段は、前記アドレス情報を登録した後、前記通信端末をコンテンツ待ち受け状態に遷移させるための登録完了通知を、前記通信端末へ送信する送信手段をさらに有する、
付記１に記載の配信装置。
（付記３）
前記利用者情報は、利用者識別番号および利用者氏名を含み、
前記登録手段は、前記通信端末から受信した前記利用者識別番号と一致する前記コンテンツ管理テーブルの前記利用者識別番号に、前記通信端末から受信した前記アドレス情報を関連付けて登録する、
付記１又は２に記載の配信装置。
（付記４）
前記コンテンツ配信要求は、さらに前記通信端末を認証するための認証コードを含み、
前記受信されたコンテンツ配信要求に含まれる認証コードに基づいて、前記通信端末の認証を行う認証手段をさらに有し、
前記登録手段は、前記通信端末の認証が正常に完了した場合、前記通信端末のアドレス情報を登録する、
付記１乃至３のいずれか１項に記載の配信装置。
（付記５）
前記認証コードは、前記利用者が受講する講義用の講義認証コードを含み、
前記記憶手段は、講義認証コードを予め登録する講義認証コードテーブルをさらに記憶し、
前記認証手段は、前記受信されたコンテンツ配信要求に含まれる前記講義認証コードが前記講義認証コードテーブルの前記講義認証コードと一致する場合、前記通信端末の認証を正常に完了する、
付記４に記載の配信装置。
（付記６）
前記記憶手段は、前記講義認証コードと、講義用のコンテンツのコンテンツ情報とを関連付けて登録し、
前記登録手段は、前記受信されたコンテンツ配信要求に含まれる前記利用者情報と前記コンテンツ情報が関連付けて前記コンテンツ管理テーブルに予め登録されていない場合、前記コンテンツ配信要求に含まれる前記講義認証コードに関連付けられた前記コンテンツ情報と、前記通信端末の利用者情報と、前記通信端末のアドレス情報と、を関連付けて前記コンテンツ管理テーブルに登録する、
付記５に記載の配信装置。
（付記７）
前記通信端末は、複数のアクセスポイントのいずれかを介して前記配信装置と通信可能であり、
前記記憶手段は、前記利用者情報と、接続先の前記アクセスポイントの接続識別子と、を予め関連付けて登録する接続先指定管理テーブルをさらに記憶し、
前記通信端末から受信した利用者情報に関連付けられた前記接続識別子を、前記接続先指定管理テーブルから検索する検索手段と、
前記検索された接続識別子を含む接続許可応答を前記通信端末に送信する接続識別子送信手段と、
をさらに有する、
付記１乃至６のいずれか１項に記載の配信装置。
（付記８）
前記認証コードは、前記利用者が属する機関の共通コードをさらに含み、
前記認証手段は、前記受信されたコンテンツ配信要求に含まれる前記共通コードが予め登録された前記共通コードと一致し、前記受信されたコンテンツ配信要求に含まれる前記講義認証コードが前記講義認証コードテーブルの前記講義認証コードと一致する場合、前記通信端末の認証を正常に完了する、
付記５に記載の配信装置。
（付記９）
前記記憶手段は、前記講義認証コードと、前記講義認証コードに予め関連付けて登録される講義の開始時刻と、をさらに関連付けて登録する講義認証コードテーブルを記憶し、
前記認証手段は、前記受信されたコンテンツ配信要求に含まれる前記共通コードが予め登録された前記共通コードと一致し、前記受信されたコンテンツ配信要求に含まれる前記講義認証コードが前記講義コードテーブルの前記講義認証コードと一致し、前記コンテンツ配信要求を受信する時刻が、前記講義の開始時刻の前後所定時間内である場合、前記通信端末の認証を正常に完了する、
付記８に記載の配信装置。
（付記１０）
通信端末と、コンテンツを配信する配信装置と、を有する配信システムであって、
前記配信装置は、
通信端末へ配信するコンテンツのコンテンツ情報と、前記通信端末を利用する利用者の利用者情報と、を関連付けて登録するコンテンツ管理テーブルを記憶する記憶手段と、
前記通信端末から、前記通信端末の利用者情報および前記通信端末のアドレス情報を含むコンテンツ配信要求を受信する受信手段と、
前記受信されたコンテンツ配信要求に含まれる前記利用者情報及び前記アドレス情報に基づいて、前記コンテンツ管理テーブルの前記コンテンツ情報及び前記利用者情報に前記アドレス情報を関連付けて登録する登録手段と、
前記コンテンツ管理テーブルに登録されたアドレス情報の通信端末へ、前記アドレス情報に関連付けられた前記コンテンツ情報の前記コンテンツを配信する配信手段と、
を有する配信システム。
（付記１１）
前記通信端末と通信可能な複数のアクセスポイントをさらに備える配信システムであって、
前記記憶手段は、さらに前記利用者情報と、接続先の前記アクセスポイントの接続識別子と、を予め関連付けて登録する接続先指定管理テーブルを記憶し、
前記配信装置は、さらに前記通信端末から受信した利用者情報に関連付けられた前記接続識別子を、前記接続先指定管理テーブルから検索する検索手段と、
前記検索された接続識別子を含む接続許可応答を前記通信端末に送信する接続識別子送信手段と、を有する、
付記１０に記載の配信システム。
（付記１２）
コンテンツを配信する配信装置の配信方法であって、
通信端末へ配信するコンテンツのコンテンツ情報と、前記通信端末を利用する利用者の利用者情報と、を関連付けて登録するコンテンツ管理テーブルを記憶するステップと、
前記通信端末から、前記通信端末の利用者情報および前記通信端末のアドレス情報を含むコンテンツ配信要求を受信するステップと、
前記受信されたコンテンツ配信要求に含まれる前記利用者情報及び前記アドレス情報に基づいて、前記コンテンツ管理テーブルの前記コンテンツ情報及び前記利用者情報に前記アドレス情報を関連付けて登録するステップと、
前記コンテンツ管理テーブルに登録されたアドレス情報の通信端末へ、前記アドレス情報に関連付けられた前記コンテンツ情報の前記コンテンツを配信するステップと、
を備える配信方法。
（付記１３）
コンテンツを配信する配信装置に実行させる配信プログラムであって、
通信端末へ配信するコンテンツのコンテンツ情報と、前記通信端末を利用する利用者の利用者情報と、を関連付けて登録するコンテンツ管理テーブルを記憶するステップと、
前記通信端末から、前記通信端末の利用者情報および前記通信端末のアドレス情報を含むコンテンツ配信要求を受信するステップと、
前記受信されたコンテンツ配信要求に含まれる前記利用者情報及び前記アドレス情報に基づいて、前記コンテンツ管理テーブルの前記コンテンツ情報及び前記利用者情報に前記アドレス情報を関連付けて登録するステップと、
前記コンテンツ管理テーブルに登録されたアドレス情報の通信端末へ、前記アドレス情報に関連付けられた前記コンテンツ情報の前記コンテンツを配信するステップと、
を備える配信プログラム。
（付記１４）
認証コードと自己のＩＰアドレスと利用者情報を記憶する記憶手段と、
前記認証コードと自己のＩＰアドレスと利用者情報を含むコンテンツ配信要求を送信する送信手段と、
配信装置から指定された接続識別子を含む接続許可応答を受信する受信手段と、
前記接続許可応答に含まれる接続識別子を備えたアクセスポイントに接続を切り替える接続切替手段と、
を有する通信端末。
【符号の説明】
【００９１】
１  配信システム
１０  配信装置
１１  受信手段
１２  記憶手段
１２ａ  コンテンツ管理テーブル
１３  登録手段
１４  配信手段
２０  通信端末
１０１  送信部
１０２  受信部
１０３  記憶部
１０４  認証部
１０５  登録部
１０６  配信部
１０７  検索部
２０１  送信部
２０２  受信部
２０３  記憶部
２０４  再生部
２０５  接続切替部
２０６  撮影部
３０  アクセスポイント
３１  アクセスポイント
３００＿１〜３００＿６  アクセスポイント
３０１＿１〜３０１＿６  エリア
４０  ネットワーク機器
５０  ＤＨＣＰサーバ
６０  コンテンツサーバ
Ｐ１  Ｅｔｈｅｒヘッダまたは無線ＬＡＮヘッダ設定部
Ｐ２  ＩＰヘッダ設定部
Ｐ３  ＴＣＰヘッダ設定部
Ｐ４  データ設定部
Ｐ５  制御コード設定部
Ｐ６  認証コード設定部
Ｐ７  利用者識別番号設定部
Ｐ８  利用者氏名設定部
Ｐ９  指定ＡＰ（再接続先）ＳＳＩＤ設定部
Ｕ１  利用者
ＵＡ〜ＵＺ  利用者
Ｔ１  共通コードテーブル
Ｔ２  講義コードテーブル
Ｔ３  コンテンツ管理テーブル
Ｔ４  接続先指定管理テーブル
Ｔ５  ＩＰアドレス付与テーブル
【図１】
2018023027.tif 000003
【図２】
2018023027.tif 000004
【図３】
2018023027.tif 000005
【図４】
2018023027.tif 000006
【図５】
2018023027.tif 000007
【図６】
2018023027.tif 000008
【図７】
2018023027.tif 000009
【図８】
2018023027.tif 000010
【図９】
2018023027.tif 000011
【図１０】
2018023027.tif 000012
【図１１】
2018023027.tif 000013
【図１２】
2018023027.tif 000014
【図１３】
2018023027.tif 000015
【図１４】
2018023027.tif 000016
【図１５】
2018023027.tif 000017
【図１６】
2018023027.tif 000018
【図１７】
2018023027.tif 000019
【図１８】
2018023027.tif 000020
【図１９】
2018023027.tif 000021
【図２０】
2018023027.tif 000022
【図２１】
2018023027.tif 000023